(57)【要約】本発明は、医療Ｘ線装置及びそのパワーモジュールに関する。Ｘ線装置用パワーモジュール１１は、１つのセラミックベースプレート１２により形成される基板を有する。幾つかの半導体装置１３が鉛がない半田１６によりセラミックベースプレートに結合されている。これにより高温負荷変動による基板のクラックが上手く避けられるので、本発明によるパワーモジュールの寿命を長くできる。本発明はまた、本発明の医療Ｘ線装置に使用されるパワーモジュールにも関する。
2004530505.tif 000002
【特許請求の範囲】
【請求項１】
セラミックベースプレートと、半田により当該セラミックベースプレートに結合された１つ又はそれ以上の半導体装置とを有する基板を有するＸ線装置用の少なくとも１つのパワーモジュールを具備する医療Ｘ線装置において、前記基板は１つのセラミックベースプレートにより形成され、前記半導体装置が鉛がない半田により当該セラミックベースプレートに結合されていることを特徴とする医療Ｘ線装置。
【請求項２】
前記鉛がない半田の材料がSnAg又はその合金を有することを特徴とする請求項１に記載の医療Ｘ線装置。
【請求項３】
前記鉛がない半田の材料がSnAgBiB又はその合金を有することを特徴とする請求項１又は２に記載の医療Ｘ線装置。
【請求項４】
前記鉛がない半田の材料がSnAgCu又はその合金を有することを特徴とする請求項１、２又は３に記載の医療Ｘ線装置。
【請求項５】
前記セラミックベースプレートが３ｍｍの最小厚さを持つことを特徴とする請求項１乃至４の何れか１項に記載の医療Ｘ線装置。
【請求項６】
前記セラミックベースプレートの材料がAlNを有することを特徴とする請求項１乃至５の何れか１項に記載の医療Ｘ線装置。
【請求項７】
前記セラミックベースプレートの材料がAlSiO2を有することを特徴とする請求項１乃至６の何れか１項に記載の医療Ｘ線装置。
【請求項８】
請求項１乃至７の何れか１項に記載の医療Ｘ線装置に使用される、パワーモジュール。
【発明の詳細な説明】
【技術分野】
【０００１】
本発明は、セラミックベースプレートと、半田により当該セラミックベースプレートに結合された１つ又はそれ以上の半導体装置とを有する基板を有するＸ線装置用の少なくとも１つのパワーモジュールを具備する医療Ｘ線装置に関する。
【背景技術】
【０００２】
斯様な医療Ｘ線装置は、実際に知られていて、出願人により現在生産されている。既知の装置では、基板は、相対的に厚い金属バックプレートからなり、この上にセラミックベースプレートが半田のもう１つの層により結合されている。
【０００３】
医療Ｘ線装置では、パワーモジュールが高い温度負荷に曝される。このことはしばしば、基板の異なる材料の異なる温度膨張係数に起因した基板内のクラックを導く。この結果として、パワーモジュールの寿命が短くなる。温度負荷が時間的に速く変化すると医療Ｘ線装置の寿命は最も短くなる。斯様な医療Ｘ線装置の幾つかの例は、コンピュータトモグラフィ装置及びC-bow装置であり、これらは１回の医療検査で頻繁に始動、停止、及び再始動がある。
【０００４】
第２の問題は、環境を考慮することにより形成される。将来の法律を考慮すると、使用される半田は、鉛がない材料で作られるべきである。既知の装置においては、鉛がない半田の使用は困難であることが分かっている、なぜならばこの目的のために適切で溶融温度が十分に高い差を持って利用できる鉛がない半田は、現在ないと思われるからである。
【発明の開示】
【発明が解決しようとする課題】
【０００５】
本発明の目的は、両方の問題を解決する冒頭に記載の医療Ｘ線装置を提供することである。
【課題を解決するための手段】
【０００６】
本発明による医療Ｘ線装置は、基板が１つのセラミックベースプレートにより形成され、半導体装置が鉛フリー半田（鉛がない半田）により当該セラミックベースプレートに結合されていることを特徴とする。
【０００７】
１つのセラミックベースプレートにより形成される基板は、本質的に単一の温度特性をもつ。さらに、セラミックベースプレートを金属バックプレートに結合するための半田の他の層の使用は、余分である。クラックはその半田層に主に生じるので、パワーモジュールの寿命は、特記するほど長くなる。
【０００８】
１つ又はそれ以上の金属層と、半田によりセラミックベースプレートに結合する１つ又はそれ以上の半導体装置とを持つ１つのセラミックベースプレートにより形成される、基板を有するパワーモジュールは、米国特許第６，１２２，１７０号からそれ自体知られていることに留意されたい。この特許は、金属バックプレートを取り去った、上述のような技術の一部を形成するものと類似する汎用のパワーモジュールを述べている。しかしながら、鉛がない半田の使用についても、上述の技術的問題を負う医療Ｘ線装置の特定の使用についても一切述べられていない。
【０００９】
本発明による医療Ｘ線装置の第１の好ましい実施例によると、鉛がない半田の材料がSnAg、SnAgBiB、SnAgCu及び／又はその合金を有する。これら半田の関係する機械的及び物理的特性は、意図的な使用のために適したものである。温度−機械的疲労寿命は、鉛を含む半田のものと比較できるほどである。選択された鉛がない半田は、最も知られた表面仕上げとコンパチブルである。
【００１０】
本発明による医療Ｘ線装置の他の好ましい実施例によると、セラミックベースプレートは、３ｍｍの最小厚さを持つ。この厚さが、既知のパワーモジュールの構成の利用を許容する。選択された厚さに依存して、幾らかの充填材料が使用されなければならない。
【００１１】
医療Ｘ線装置の更に他の好ましい実施例によると、セラミックベースプレートの材料は、良好な温度伝達性を持つAlNを有する。代替として、AlSiO2も使用できる。
【００１２】
本発明はまた、本発明の医療Ｘ線装置に使用されるパワーモジュールにも関する。
【００１３】
本発明の更なる有利性、特徴及び詳細は、添付の図を参照して好ましい実施例の下記の説明に基づいて明らかになるだろう。
【発明を実施するための最良の形態】
【００１４】
全ての図において、同じ参照符号は、同じ部分を示すために用いられる。
【００１５】
図１は、本発明によるＸ線装置１の概略的断面図を示す。Ｘ線装置１は、診断されるべき対象、通常は人用のガントリ２を備えた医療Ｘ線装置である。斯様なＸ線装置の例は、コンピュータトモグラフィ装置である。装置１のＸ線源は、Ｘ線管３、高電圧タンク４及びインバータ５を有する。
【００１６】
図２は、医療Ｘ線装置１のＸ線源を駆動するための１つ又はそれ以上のパワーモジュール１１の好ましい実施例の概略的側面図を示す。パワーモジュール１１の１つが、図３の断面図で詳細に示されている。
【００１７】
図３は、幾つかの半導体装置が結合されている金属層１４及び１５を持つセラミックベースプレート１２により形成される基板を有するパワーモジュール１１の一部を示す。例示として、半導体装置１３は好ましくは、ＤＣ−ＡＣ変換を実施するためのＩＧＢＴチップ(IGBT=Insulated Gate Bipolar Transistor)である。前記基板は、フィン６（図２参照）のような適当な冷却手段を持つ加熱放射プレート１７上に固定される。電極７（図２参照）のような電気的接続を確立するための手段が設けられる。
【００１８】
ＩＧＢＴチップ１３が結合された基板１２は電気的に絶縁されているので、大電流がＩＧＢＴチップ１３の前方及び後方側に送られることを許容する。この目的のため電極への接続に対して、基板１２は電気的に導通材料の層１４を具備する。一般に層１４は、銅のような金属の薄膜である。製造上の理由のため、層１４は基板１２の両側に存在する。
【００１９】
動作中パワーモジュール１１は、大電流を制御する。この結果として、ＩＧＢＴチップ１３は、高熱を発散する。従って、パワーモジュールの放射特性について高い要求が課せられる。この理由のため、基板１２の材料は熱発散を促進すべきであり、高い熱伝導特性を持つべきである。好ましくは、基板１２はセラミック材料からなり、また好ましくはAlNからなる。代替として、AlSiO2が使用されても良い。
【００２０】
好ましくは、基板１２の厚さは、電気的導電層１４や他の半田層のような１つ又はそれ以上の中間層を伴うセラミックベースプレート及び金属バックプレートを有する、既知のパワーモジュールの基板の厚さと本質的に等しい。既知の基板の厚さに対する一般のサイズは約５ｍｍである。セラミックベースプレート１２の厚さは、好ましくは３から５ｍｍの間であるべきである。これらのサイズの使用は、パワーモジュールの残りの構造を変えることがないことを許容する。必要ならば、銅ストリップのような適当な充填材料が使用できる。この厚さの他の利点はベースプレートがより頑強になることであり、チップ、ダイオード等の異なるサイズを持つ異なる装置がベースプレート上に置かれて非対称に設定されることを許容する。
【００２１】
半導体装置１３は、鉛がない半田１６によりセラミックベースプレート１２に結合される。鉛がない半田の材料は、好ましくはSnAg、SnAgBiB、SnAgCu及び／又は製造可能なそれらの合金を有する。研究から、これらの半田材料を使用する鉛がないウェーブ半田技術は、技術的に実行できることがわかった。熱膨張係数や溶融温度等のこれら半田の関連する機械的及び物理的特性が調査され、鉛を含む半田の特性と比較できるものであった。半田槽温度、基板と半田との間の接触時間、及び予備加熱温度等の重要なプロセスパラメータが、操作可能な範囲内にあることが明らかである。これら及び他の適当な鉛がない半田についての多くの情報は、Biglariらの論文”Lead-Free Wave Soldering with VOC-Free Fluxes Part I: Alloy Development Based on SnAgCu, SnBiAg and SnCu, and Process Aspects” Proceedings IPC-Works 2000, Miami-Florida, 12 September 2000で見つけられる。この論文は、参照によりこの明細書に組み入れられる。
【００２２】
半田付け促進材料の層１５は、電気的導電層１４と鉛がない半田層１６との間にある。好ましくは、層１５は良好なぬれ特性で当業者に知られているNiを有する。
【００２３】
基板１２は、弾性特性を持つ固定手段８により熱放射プレート１７に固定される。クランプ又はばねのような種々の適当な固定手段が当業者には知られている。熱放射プレート１７は、例えば銅又はアルミニウムのような高い熱伝導性を持つ材料を有する。好ましくは、シリコンオイル化合物又はそのようなものの薄層１８は、中間に介在して熱抵抗を低減するために形成される。
【００２４】
本発明は、上述して示された実施例にもちろん限定されるものではなく、上述した説明及び図からわかる請求項に記載の発明の範囲内で如何なる実施例にも一般に及ぶ。
【図面の簡単な説明】
【００２５】
【図１】本発明による医療Ｘ線装置の概略的断面図を示す。
【図２】概略的に側面から見た図１の医療Ｘ線装置のパワーモジュールの好ましい実施例を示す。
【図３】図２のパワーモジュールの好ましい実施例の一部の詳細な断面図を示す。
【国際公開パンフレット】
2004530505.tif 000003
2004530505.tif 000004
2004530505.tif 000005
2004530505.tif 000006
2004530505.tif 000007
2004530505.tif 000008
2004530505.tif 000009
2004530505.tif 000010
【国際調査報告】
2004530505.tif 000011
2004530505.tif 000012
2004530505.tif 000013